(57)【特許請求の範囲】
【請求項１】
記録媒体に情報を記録し、あるいは、その記録媒体から情報を再生する装置であって、
少なくとも、当該装置の情報記録時及び／又は情報再生時の動作環境状態を検出して動作検出情報を集合した属性情報を発生する発生手段と、
前記発生手段から得られた情報記録時及び／又は情報再生時の属性情報を記録情報と共に前記記録媒体に記録する記録再生手段とを備え、
当該装置で故障が発生した場合に、
前記記録媒体から属性情報を読み出して当該装置の情報記録時及び／又は情報再生時の故障解析をするようにしたことを特徴とする記録再生装置。
【請求項２】
前記発生手段が設けられる場合であって、
前記発生手段から得られた属性情報を記憶する不揮発性メモリを備え、
情報記録時、
前記発生手段が動作環境状態を検出して発生した情報記録時の属性情報を前記不揮発性メモリに記憶し、
前記記録再生手段が、
記録情報と共に前記不揮発性メモリから読み出した情報記録時の属性情報を記録媒体に記録するようにしたことを特徴とする請求項１に記載の記録再生装置。
【請求項３】
前記発生手段及び不揮発性メモリが設けられる場合であって、
情報再生時、
前記発生手段が動作環境状態を検出して情報再生時の属性情報を発生し、
前記発生手段から得られた情報再生時の属性情報を前記不揮発性メモリに記憶し、
情報記録時、
前記記録再生手段が、
記録情報と共に前記不揮発性メモリから読み出した情報再生時の属性情報を記録媒体に記録するようにしたことを特徴とする請求項２に記載の記録再生装置。
【請求項４】
少なくとも、記録媒体に情報を記録し、あるいは、その記録媒体から情報を再生する記録再生装置の故障診断方法であって、
前記記録再生装置の情報記録時及び／又は記録再生時の動作環境状態を検出して動作検出情報を集合した属性情報を発生し、
発生された前記記録再生装置の情報記録時及び／又は記録再生時の属性情報を記録情報と共に記録媒体に記録し、
前記記録再生装置で故障が発生した場合には、
前記記録媒体から前記属性情報を読み出して情報記録時及び／又は記録再生時の故障解析をすることを特徴とする記録再生装置の故障診断方法。
【請求項５】
前記情報記録時及び／又は記録再生時の属性情報には、前記記録再生装置を最適に動作させるための設定条件及び当該記録再生装置が動作したことによって積算される諸量情報が含まれ、
前記設定条件には、
前記記録再生装置を駆動するためのソフトウエアのバージョン情報が含まれ、
前記諸量情報には、
前記記録再生装置を構成する回転ヘッド部の積算使用時間、
当該記録再生装置に装填されるテープカセットのテープ走行時間及びテープ挿抜回数が含まれることを特徴とする請求項４に記載の記録再生装置の故障診断方法。
【発明の詳細な説明】
【０００１】
【発明の属する技術分野】
この発明は、オーディオ・ビデオ素材テープを編集するビデオ編集機などに適用して好適な記録再生装置及びその故障診断方法に関する。詳しくは、当該記録再生装置の情報記録時や、その情報再生時の動作環境状態を属性情報として記録情報と共にテープ記録媒体に記録する記録再生手段を設け、当該装置で故障が発生した場合に、そのテープ記録媒体から属性情報を読み出して、その属性情報を解析することにより、当該装置の故障を迅速に、かつ、正確に診断できるようにしたものである。
【０００２】
【従来の技術】
近年、カメラ一体型の携帯用ビデオテープレコーダ（以下カムコーダともいう）により撮影した映像及び音声情報素材を編集処理するために、ビデオ編集機が使用される場合が多い。この種のビデオ編集機では、映像及び音声情報素材がデジタルデータとして取り扱われ、カメラマンが「テレビ放映に最適だ」と思われる映像及び音声情報を高速に編集できるようになされている。
【０００３】
【発明が解決しようとする課題】
ところで、従来方式によれば、磁気テープへの情報記録が失敗した場合に、カムコーダやビデオ編集機の故障診断が行われる。しかしながら、当該ビデオ編集機などで故障が発生した場合に、どのような使用状況下で情報記録に失敗したかについては、ユーザにより行われた操作入力に関する情報（以下操作環境情報という）が非常に乏しい場合が多い。このため、故障後に、編集制御ユニットや選択・設定スイッチ類の動作条件がどのようにセットされていたのか、または、現在のソフトウエアのバージョン番号は何番かなどを問い合わせなければならなかった。
【０００４】
また、ユーザに情報記録時の操作環境情報を尋ねても、それをユーザが間違って記憶している場合が多く、その間違った操作環境情報で故障原因をつきとめようとするために、真の故障原因の究明に時間がかかるという問題がある。特に、海外などの販売会社経由でカムコーダやビデオ編集機（以下単に記録再生装置という）の故障修理要求があった場合に、ユーザから提供される操作環境情報が少ない場合が多いので、早期対応が困難となる。
【０００５】
そこで、本発明は上記の課題に鑑み創作されたものであり、当該装置で故障が発生した場合に、その故障を迅速に、かつ、正確に診断できるようにした記録再生装置及びその故障診断方法を提供することを目的とする。
【０００６】
【課題を解決するための手段】
上述した課題は、記録媒体に情報を記録し、あるいは、その記録媒体から情報を再生する装置であって、少なくとも、当該装置の情報記録時及び／又は情報再生時の動作環境状態を検出して動作検出情報を集合した属性情報を発生する発生手段と、その発生手段から得られた情報記録時及び／又は情報再生時の属性情報を記録情報と共に記録媒体に記録する記録再生手段とを備え、当該装置で故障が発生した場合に、その記録媒体から属性情報を読み出して当該装置の情報記録時及び／又は情報再生時の故障解析をするようにしたことを特徴とする記録再生装置によって解決される。
【０００７】
この発明の記録再生装置によれば、当該装置の情報記録時及び／又は情報再生時の動作環境状態を検出して集合した動作検出情報を属性情報として、記録再生手段により記録情報と共に記録媒体に記録されるので、当該装置で故障が発生した場合に、どのような使用状況下で情報記録又は情報再生を失敗したかについて、ユーザが行った操作入力に関する情報（操作環境情報）が無い場合であっても、その記録媒体から属性情報を読み出して故障解析することで、当該記録再生装置の情報記録時及び／又は情報再生時の動作使用環境を認知できるばかりか、その故障を迅速、かつ、正確に診断することができる。
【０００８】
この発明に係る記録再生装置の故障診断方法は、少なくとも、記録媒体に情報を記録し、あるいは、その記録媒体から情報を再生する記録再生装置の故障診断方法であって、記録再生装置の情報記録時及び／又は記録再生時の動作環境状態を検出して動作検出情報を集合した属性情報を発生し、ここで発生された記録再生装置の情報記録時及び／又は記録再生時の属性情報を記録情報と共に記録媒体に記録し、その記録再生装置で故障が発生した場合には、その記録媒体から属性情報を読み出して情報記録時及び／又は記録再生時の故障解析をすることを特徴とするものである。
【０００９】
本発明の記録再生装置の故障診断方法によれば、当該装置の情報記録時及び／又は記録再生時の動作環境状態を検出して集合した動作検出情報が属性情報として記録情報と共に記録媒体に記録され、当該装置で故障が発生した場合に、その記録媒体から読み出した情報記録時及び／又は記録再生時の属性情報が故障解析される。従って、ユーザによる操作環境情報が無い場合であっても、その情報記録時及び／又は記録再生時の動作使用環境を認知できるので、当該記録再生装置の故障を迅速に、かつ、正確に診断することができる。
【００１０】
【発明の実施の形態】
以下、図面を参照しながら、この発明の実施形態としての記録再生装置及びその故障診断方法について説明をする。
（１）実施形態としての記録再生装置
図１は本発明に係る実施形態としての記録再生装置１００の構成例を示すブロック図である。
この実施形態では、当該記録再生装置の情報記録時や、その情報再生時の動作環境状態を属性情報として記録情報と共に、テープ記録媒体に記録する記録再生手段を設け、当該装置で故障が発生した場合に、そのテープ記録媒体から属性情報を読み出して、その属性情報を解析することにより、当該装置１００の故障を迅速に、かつ、正確に診断できるようにしたものである。
【００１１】
図１に示す記録再生装置１００は回転ヘッド部７を有しており、記録媒体（以下磁気テープという）１に映像や音声情報Ｄinを記録し、あるいは、その磁気テープ１から映像や音声情報Ｄoutを再生するものである。この記録再生装置１００には発生手段２７が設けられ、当該装置１００の情報記録時及び情報再生時の、例えば、回転ヘッド部７の回転状況やテープカセット９の出し入れなどの動作環境状態が動作検出情報Ｄｉ（ｉ＝１〜ｎ）として検出され、この動作検出情報Ｄｉを経時的に集合した属性情報Ｄａが出力される。
【００１２】
ここで、属性情報Ｄａとは記録再生装置１００を最適に動作させるための設定条件や、その記録再生装置１００が動作したことによって積算される諸量情報などをいう。設定条件には、記録再生装置１００を駆動するためのソフトウエアのバージョン情報（番号）が含まれる。諸量情報には例えば回転ヘッド部７の積算使用時間、テープカセット９のテープ走行時間及びテープ挿抜回数などが含まれる。
【００１３】
この例で発生手段２７にはソフトウエアのアルゴリズムに基づいて動作環境状態を検出する中央演算装置（以下ＣＰＵともいう）などが使用される。発生手段２７には不揮発メモリ３０が接続され、情報記録時や情報再生時の属性情報Ｄａが記憶される。不揮発メモリ３０には、電気的に記録情報が書込み又は消去可能な読み出し専用メモリ（ＥＥＰＲＯＭ）や、バックアップ電池によって属性情報Ｄａが保持されるＲＡＭ（随時情報が書き込み読み出し可能なメモリ）を使用するとよい。更に、発生手段２７には記録再生手段２６が接続され、映像及び音声記録情報と共に、不揮発メモリ３０から読み出された属性情報Ｄａが同時に磁気テープ１に記録される。
【００１４】
この属性情報Ｄａの記録に関しては、例えば、記録再生手段２６の入力段に加算回路２８を接続し、又は、その記録再生手段２６内に加算回路２８を設け、映像情報と音声記録情報との間にシリアルに属性情報Ｄａを挟み込むように加算するとよい。そして、当該装置１００で故障が発生した場合に、その磁気テープ１から属性情報Ｄａを読み出すようにする。
【００１５】
この属性情報Ｄａの読み出しに関しては、例えば、記録再生手段２６の出力段に減算回路２９を接続し、又は、その記録再生手段２６内に減算回路２９を設け、映像情報と音声記録情報との間に挟み込まれた属性情報Ｄａを引き出すように減算するとよい。
【００１６】
次に、記録再生装置１００の故障診断方法について説明する。図２は実施形態としての記録再生装置１００の故障診断例を示すフローチャートである。この例では記録再生装置１００が故障したか否かはユーザによって判断される場合を想定する。これを前提にして、まず、ステップＡ１で、当該記録再生装置１００の情報記録時及び記録再生時の動作環境状態が発生手段２７によって検出される。もちろん、発生手段２７によって検出された、ソフトウエアのバージョン情報、回転ヘッド部７の積算使用時間、テープカセット９のテープ走行時間及びテープ挿抜回数などの属性情報Ｄａは不揮発メモリ３０に格納される。
【００１７】
その後、ステップＡ２で所定の書込み規則に従って、当該記録再生装置１００の属性情報Ｄａが記録情報と共に磁気テープ１に同時に記録される。例えば、記録再生手段２６の入力段に接続された加算回路２８によって、映像情報と音声記録情報との間に属性情報Ｄａが挟み込むように加算される。この際のデータフォーマットについては図９〜図１１において説明する。そして、ステップＡ３で例えばユーザによって記録再生装置１００が故障したか否かが判断される。この記録再生装置１００が故障していない場合には、当該記録再生装置１００の故障診断が必要ないので、磁気テープ１に記録された属性情報Ｄａが使用されることなく故障診断フローが終了する。
【００１８】
しかし、ステップＡ３で、ユーザによって記録再生装置１００が故障したと判断された場合には、ステップＡ４に移行して磁気テープ１から属性情報Ｄａが読み出される。例えば、記録再生手段２６の出力段に接続された減算回路２９によって、映像情報と音声記録情報との間に挟み込まれた属性情報Ｄａが引き出されるように減算される。その後、ステップＡ５でその属性情報Ｄａが解析手段としてのパーソナルコンピユータ（以下パソコンという）などの外部端末装置によって解析される。
【００１９】
その際の解析処理では、属性情報Ｄａから回転ヘッド部７の積算使用時間、テープカセット９のテープ走行時間及びテープ挿抜回数などが抽出される。これらの情報源から、ユーザがどんな動作使用環境で、当該記録再生装置１００を操作し、どの時点で故障を引き起こしたか否かがパソコンなどによって解析される。
【００２０】
このように、本実施の形態としての記録再生装置１００によれば、当該装置１００の情報記録時の動作環境状態が属性情報Ｄａとして、記録再生手段２６により記録情報Ｄinと共に磁気テープ１に記録されるので、当該装置１００で故障が発生した場合に、どのような使用状況下で情報記録Ｄinを失敗したかについて、ユーザが行った操作入力に関する情報が無い場合であっても、その磁気テープ１から属性情報Ｄａを読み出すことで、その動作使用環境を認知することができる。従って、その磁気テープ１から読み出された属性情報Ｄａを解析することで、当該記録再生装置１００の故障を迅速に、かつ、正確に診断することができる。
【００２１】
（２）記録再生装置１００を応用したビデオ編集機
続いて、図３〜図６を参照しながら、記録再生装置１００を応用したビデオ編集機２００の概要について説明をする。図３はビデオ編集システムを示す構成図、図４はそのビデオ編集機２００の外観例を示す斜視図、図５はその表示パネル５２を示す正面図、及び、図６はその操作パネル５３を示す平面図である。
【００２２】
図３に示すビデオ編集システムでは、例えば、取材現場でカメラ一体型の携帯用のビデオテープレコーダ（以下カムコーダという）２０１により撮影された映像及び音声情報がカセットテープ９に収録される。このカセットテープ９では例えば２Ｄ用と称されるデジタルＶＴＲフォーマットのビデオテープ（磁気テープ）が巻装されて使用される。
【００２３】
このビデオ編集システムでは映像及び音声情報素材がデジタルデータとして取り扱われ、カメラマンが「テレビ放映に最適だ」と思われる箇所にグッドショットマーク（ＧＳＭ）を記録できるようになされ、その後、そのグットショットマークに基づいてビデオ素材テープを高速に編集できるようになされている。
【００２４】
この例では、カセットテープ９がカムコーダ２０１から取り外され、その後、本発明に係る記録再生装置１００を応用したビデオ編集機２００にセットされる。このビデオ編集機２００では撮影者自身がビデオ編集できるようになされたものである。ビデオ編集機２００には図１に示した記録再生装置１００が応用されるので、情報記録時及び情報再生時の動作環境状態が検出され、その動作検出情報が属性情報として記録情報と共に、磁気テープ１に記録するようになされる。
【００２５】
この例では、ビデオ編集機２００で編集された、例えば、ニュース放映用のビデオデータは移動中継車２０３から放送局２０４に高速伝送される。又は、そのビデオデータは国内のデジタルモジュレーター２０２から海外のモジュレーター２０２へ衛星回線等を利用して高速伝送される。このビデオデータを受信した放送局では、現地の取材現場で収録された生の映像及び音声情報がテレビ放映される。
【００２６】
このビデオ編集機２００は図４に示す筐体形状を成す本体部５１を有している。その本体部５１に対して開閉可能な状態で表示パネル５２が係合されている。この表示パネル５２を蓋体とする本体部５１の上面には操作パネル５３が取り付けられる。図５に示す表示パネル５２の前面５２ａには、液晶（ＬＣＤ）モニタ３８が取付けられ、編集用の再生画像が表示され、又は、図１に示した回転ヘッド部７の積算使用時間、テープカセット９のテープ走行時間及びテープ挿抜回数などの属性情報Ｄａが表示され、あるいは、後述するショットマークリストが一覧表示される。
【００２７】
この液晶モニタ３８の右側にはブライトコントラストのつまみ６２が取付けられ、液晶モニタ３８の輝度が調整できるようになされる。そのつまみ６２の下方領域にはタイムコード操作ボタン６３が取付けられ、タイムコードを入力するようになされる。また、液晶モニタ３８の右下側には、オーディオレベルメータ６４が取付けられ、音量が認知できるようになされている。液晶モニタ３８の左下側には、サブＬＣＤ６５が取付けられ、液晶モニタ３８で表示を必要としない小規模な入出力情報などが表示される。
【００２８】
このサブＬＣＤ６５の周辺にはホームページの希望項目を設定するための複数の操作ボタン６７と、その設定を変更するためのＵＰ／ＤＯＷＮボタン６８と、ページ指定ボタン６９とが設けられる。表示パネル５２で本体部５１に近い下方域前面５２ａには、オーディオスピーカ６６が取付けられ、現場で収録した音声情報がモニタできるようになされている。
【００２９】
図６に示す操作パネル５３内には編集制御ユニット１６及びテープ走行系制御部７０が設けられ、その上面５３ａには編集操作部７１、オーディオコントロール部７２、タイムコード／セットアップメニュー操作部７３及びジョグ／シャトルダイヤル７４（以下選択・設定スイッチ類３９ともいう）等が取付けられている。
【００３０】
この編集操作部７１には、操作スイッチ２、設定スイッチ１０及びマーカボタン２０などが設けられる。操作スイッチ２は記録動作や再生動作等の動作モードを設定するときに使用される。設定スイッチ１０は収録時間や、ユーザーズビット領域に記録するデータ（テープリール番号等）を設定したり、ショットマークデータや、記録開始マークデータＤＣを記録するか否かを設定するときに使用される。この設定スイッチ１０が押下されると設定信号が発生される。マーカボタン２０はグットショットマークを磁気テープ１に記録するために操作される。
【００３１】
続いて、図７及び図８を参照しながら、ビデオ編集機２００の内部の構成例について説明をする。図７は記録再生装置１００を応用したビデオ編集機２００の内部構成例を示すブロック図である。
【００３２】
この例では、ビデオ編集機２００、あるいは、カメラ一体型の携帯用のビデオレコーダでグットショットマーカ（以下ＧＳＭともいう）という概念が導入され、単一のマーカボタン２０が操作されると、容易にビデオ簡易編集処理をすることができる。このＧＳＭ設定操作はテレビ放映しようとする部分（使用部分）を大まかに決定するためであり、カメラマンにとって、操作が感覚的にわかり易いようになされている。このような粗編集を行うにより、例えば、カメラマンが現場において、ビデオ簡易編集処理を行ってテレビ放送に使用する蓋然性の高いビデオデータのみを放送局２０４に伝送することができる。
【００３３】
図７に示すビデオ編集機２００は動作制御部３、モータ制御部４、回転ヘッド部７、編集制御ユニット１６、ＣＰＵ３７、不揮発メモリ３０、記録再生手段２６を有しており、磁気テープ１に映像や音声情報（信号）Ｄinを記録し、あるいは、その磁気テープ１から映像や音声情報（信号）Ｄoutを再生するものである。
【００３４】
このビデオ編集機２００には発生手段２７としてのＣＰＵ３７が設けられ、当該編集機２００の情報記録時及び情報再生時の、例えば、回転ヘッド部７の回転状況やテープカセット９の出し入れなどの動作環境状態を動作検出情報Ｄｉ（ｉ＝１〜ｎ）として検出し、この動作検出情報Ｄｉを集合した属性情報Ｄａが出力される。
【００３５】
この属性情報Ｄａにはビデオ編集機２００を最適に動作させるための設定条件や、そのビデオ編集機２００が動作したことによって積算される諸量情報などが含まれる。設定条件には、当該編集機２００を駆動するためのシステムオペレーションプログラムのバージョン情報（番号）が含まれる。このシステムオペレーションプログラムはバージョン情報と共に、ＣＰＵ３７が使用しているＲＯＭ３７Ａに格納される。この諸量情報には例えば回転ヘッド部７の積算使用時間、テープカセット９のテープ走行時間及びテープ挿抜回数などが含まれる。
【００３６】
この例でＣＰＵ３７はＲＯＭ３７Ａに格納されたシステムオペレーションプログラムに基づいて動作環境状態が検出される。ＣＰＵ３７はＲＯＭ３７Ａの他に、ワーク用のメモリとして使用されるＲＡＭ（随時情報が書き込み読み出し可能なメモリ）３７Ｂと、回転ヘッド部７の使用時間やテープカセット９のテープ走行時間などを積算するタイマ３７Ｃと、テープ挿抜回数を計数するカウンタ３７Ｄなどを有している。ＣＰＵ３７には上述した液晶モニタ３８及び選択・設定スイッチ類３９が接続され、その液晶モニタ３８を見ながら適宜スイッチ類を押下することにより、ビデオ素材テープを編集できるようになされている。
【００３７】
このＣＰＵ３７にはバックアップＲＡＭなどの不揮発メモリ３０が接続され、情報記録時や情報再生時の属性情報Ｄａが記憶される。このビデオ編集機２００にはＲＳー２３２Ｃ通信プロトコルに準拠したインタフェースドライバ８１が設けられ、パソコンなどの外部端末装置８０とデータ通信を行うことができる。そして、当該編集機２００で故障が発生した場合には、磁気テープ１から読み出され属性情報Ｄａが外部端末装置８０に転送できるようになされている。もちろん、不揮発メモリ３０から読み出した属性情報Ｄａを直接、外部端末装置８０に転送してもよい。
【００３８】
更に、ＣＰＵ３７には記録再生手段２６としてのデジタル信号記録部４１、デジタル信号再生部４２、アナログ音声信号記録部４３及びアナログ音声信号再生部４４が接続されている。デジタル信号記録部４１では、モード信号ＭＳに基づいてデジタルの映像及び音声情報ＤinがＳＸフォーマットの記録信号に変換されると共に、不揮発メモリ３０から読み出された属性情報ＤａがＳＸフォーマットの記録信号に変換され、変換後の記録信号が同時に磁気テープ１に記録される。
【００３９】
この例では、デジタル信号記録部４１内に図示しない加算回路２８が予め設けられ、映像情報と音声情報との間に属性情報Ｄａを挟み込むように加算される。このデジタル信号記録部４１で変換処理された後の記録信号は、動作制御部３から供給されたモード信号ＭＳに基づいて回転ヘッド部７に供給され、磁気テープ１に対して記録信号の書込みが行われる。
【００４０】
また、デジタル信号再生部４２では、モード信号ＭＳに基づいて磁気テープ１を再生することにより、回転ヘッド部７から得られた再生信号は、デジタル信号再生部４２に供給されて、デジタルの映像信号や、音声信号に変換される。このとき、映像及び音声情報Ｄoutと共に磁気テープ１から読み出された属性情報Ｄａが同時に再生される。
【００４１】
この例では、デジタル信号再生部４２内に図示しない減算回路２９が予め設けられる。そして、当該編集機２００で故障が発生した場合には、映像情報と音声情報との間に挟み込まれた属性情報Ｄａを引き出すようにデジタル信号再生部４２によって再生処理される。
【００４２】
更に、アナログ音声信号記録部４３ではモード信号ＭＳに基づいて音声信号を所定のアナログ・デジタル処理をした後の音声情報が出力される。アナログ音声信号記録部４３には固定ヘッド８が接続され、音声記録時に、このアナログ音声信号記録部４３からの音声情報が磁気テープ１のアナログ音声トラックＴＡに記録される。この固定ヘッド８にはアナログ音声信号再生部４４が接続され、音声情報再生時に、モード信号ＭＳに基づいて磁気テープ１から読み出された音声情報が再生される。
【００４３】
上述したビデオ編集機２００は、操作スイッチ２に接続された動作制御部３を有している。動作制御部３では、操作スイッチ２で設定された動作設定信号ＣＴに基づいて、モータ制御信号ＭＣ及びモード信号ＭＳが発生される。モータ制御信号ＭＣはモータ制御部４に供給され、モード信号ＭＳは編集制御ユニット１６及び記録再生手段２６に出力される。テープ走行系制御部７０を一部を構成するモータ制御部４では、モータ制御信号ＭＣに基づいてモータ駆動信号ＭＤが生成される。このモータ駆動信号ＭＤがキャプスタンモータ５及びドラムモータ６に供給されることにより、磁気テープ１が走行されると共に、回転ヘッド部７が回転される。この回転ヘッド部７はアジマス記録方式の複数のヘッドを有している。
【００４４】
続いて、編集制御ユニット１６について説明する。図８は編集制御ユニット１６の内部構成例を示すブロック図である。この例で、編集制御ユニット１６はテレビ放映しようとする部分を大まかに決定するために、ビデオ編集機２００、あるいは、カメラ一体型のビデオレコーダ２０１に適用されて、ＧＳＭ設定操作がなされるものである。このＧＳＭ設定操作によって、テレビ放送に使用する蓋然性の高いビデオデータのみを放送局２０４などに伝送することができる。
【００４５】
図８に示す編集制御ユニット１６は上述した動作制御部３、設定スイッチ１０、マーカボタン２０、固定ヘッド２５、ＣＰＵ３７等に接続されており、その内部にはデータ信号発生部１１を有している。データ信号発生部１１では設定スイッチ１０からの設定信号ＳＳに基づいてタイムコードデータＤＴ、ユーザデータＤＵ、及び、特定パターンの記録開始マークデータＤＣ、ショットマークデータＤＭが生成される。
【００４６】
このデータ信号発生部１１にはタイムコードデータ保持部１２、ユーザデータ保持部１３、記録開始データ保持部１４及びショットマークデータ保持部１５が接続される。データ信号発生部１１で生成されたタイムコードデータＤＴはタイムコードデータ保持部１２で保持されると共に、タイムコードデータ保持部１２に接続された信号変調部２３に供給される。
【００４７】
また、ユーザデータＤＵはユーザデータ保持部１３で保持されると共に、ユーザデータ保持部１３に接続された信号切換えスイッチ１９の端子ａに供給される。記録開始マークデータＤＣは記録開始データ保持部１４に保持されると共に、記録開始データ保持部１４に接続された信号切換えスイッチ１８の端子ａに供給される。ショットマークデータＤＭはショットマークデータ保持部１５で保持されると共に、ショットマークデータ保持部１５に接続された信号切換えスイッチ１８の端子ｂに供給される。
【００４８】
一方、編集制御ユニット１６には上述したマーカボタン２０に接続されたモノマルチ（単安定マルチバイブレータ）２１が設けられ、そのマーカボタン２０が操作されることにより発生した操作信号ＳＧが供給されると、そのモノマルチ２１から所定の時間だけハイ・レベル（以下「Ｈ」レベルという）のスイッチ信号ＧＷが発生される。このモノマルチ２１には信号切換えスイッチ１８及び論理和回路２２が接続され、「Ｈ」レベルのスイッチ信号ＧＷが各々供給される。信号切換えスイッチ１８ではこのスイッチ信号ＧＷによってスイッチ制御がなされる。
【００４９】
また、編集制御ユニット１６には上述したモータ制御部４に接続された他のモノマルチ１７が設けられ、モード信号ＭＳに基づいて動作モードが記録動作に移行したとき、所定期間だけ「Ｈ」レベルのモードタイミング信号ＭＴが発生される。このモノマルチ１７には論理和回路２２が接続され、モードタイミング信号ＭＴがその論理和回路２２に出力される。
【００５０】
この論理和回路２２ではスイッチ信号ＧＷと、モードタイミング信号ＭＴの論理和がとられ、論理和信号ＭＲが信号切換えスイッチ１９に供給される。信号切換えスイッチ１９ではこの論理和信号ＭＲによってスイッチ制御がなされる。
【００５１】
上述のタイムコードデータ保持部１２及び信号切換えスイッチ１９に接続された信号変調部２３では、タイムコードデータ保持部１２からの供給されたタイムコードデータＤＴの更新が自動的に行われる。ここで更新されたタイムコードデータＤＴが信号切換えスイッチ１９で選択されたデータと共に変調される。
【００５２】
この信号変調部２３にはタイムコード信号記録部２４が接続され、変調後の所定フォーマットの記録タイムコード信号ＷＴが供給される。タイムコード信号記録部２４では、記録タイムコード信号ＷＴが記録信号ＷＳに変換されると共に、自動制御部から供給されたモード信号ＭＳに基づいて固定ヘッド２５に供給される。この記録信号ＷＳを入力した固定ヘッド２５によって、磁気テープ１に対してグッドショットマークを書込みむことができる。
【００５３】
なお、カメラ一体型のビデオテープレコーダ２０１は、ここまでの構成を整えれば、グットショットマークを磁気テープ１に記録することができる。この例では、ビデオ素材テープの編集を目的とするために、ビデオ編集機２００にはグッドショットマークの信号再生手段を備えており、磁気テープ１に記録されたタイムコードと、ショットマーク又は記録開始マークとを再生することができる。
【００５４】
上述の固定ヘッド２５には、タイムコード信号再生部３１が接続され、固定ヘッド２５からの再生信号ＲＳが再生タイムコード信号ＲＴに変換される。このタイムコード信号再生部３１にはデータ分離部３２が接続され、再生タイムコード信号ＲＴからタイムコードデータＤＴとユーザーズビット領域データＤＥが分離される。このデータ分離部３２にはタイムコードデータ保持部３３及びユーザビット領域データ保持部３４が接続され、再生タイムコード信号ＲＴから分離されたタイムコードデータＤＴがタイムコードデータ保持部３３に供給されて、次のタイムコードデータＤＴが供給されるまで、一時保持される。
【００５５】
また、タイムコードデータ保持部３３に保持されたタイムコードデータＤＴはＣＰＵ３７に供給される。ユーザビット領域データＤＥはユーザビット領域データ保持部３４によって保持される。ユーザビット領域データ保持部３４にはパターン比較部３５及びＣＰＵ３７が接続され、ユーザビット領域データ保持部３４によって保持されたユーザビット領域データＤＥがパターン比較部３５とＣＰＵ３７に供給される。
【００５６】
このパターン比較部３５には比較パターン発生部３６が接続され、記録開始マークデータＤＣやショットマークデータＤＭなどの比較パターンが発生される。パターン比較部３５では、比較パターン発生部３６で発生された比較パターンと、ユーザビット領域データ保持部３４から供給されたユーザビット領域データＤＥが比較され、その比較結果を示す比較信号ＣＣがＣＰＵ３７に供給される。
【００５７】
ＣＰＵ３７では比較パターン発生部３６から供給された比較信号ＣＣに基づいて記録開始マークデータＤＣとユーザビット領域データＤＥが一致したときに、タイムコードデータＤＴがＲＡＭ３７Ｂに記憶される。この記憶されたタイムコードデータＤＴはＣＰＵ３７に接続された液晶モニタ３８に表示される。例えば、カメラマンが付与したグッドショットマークをそのタイムコードデータＤＴと共に表示し、更に、所望のグッドショットマークによって特定された映像記録の開始点（ＩＮ点）及びその終了点（ＯＵＴ点）をそれぞれタイムコードデータＤＴと共に表示するようになされる。
【００５８】
続いて、図９〜図１１を参照しながら、磁気テープ１の書き込みフォーマットについて説明をする。図９は磁気テープ１のデータ書き込み領域例を示すＳＸテープフォーマットである。図１０はそのシステムＡＵＸデータ領域ＴＡＡのデータ記録例、図１１はそのタイムコードトラックＴＴに記録されるタイムコード信号ＬＴＣの記録例を示すデータフォーマットである。
【００５９】
図９に示す磁気テープ１において、その中央部には回転ヘッド部７によってデジタルの映像信号及び音声信号が記録された傾斜トラックＴＤが生成される。この例で、１本の傾斜トラックＴＤは、デジタルの映像信号が記録されたＶideo領域ＴＤＶが２箇所と、デジタルの音声信号が記録されたＡudio領域ＴＤＡが一箇所と、システムＡＵＸデータ領域ＴＡＡが２箇所から構成される。システムＡＵＸデータ領域ＴＡＡはＶideo領域ＴＤＶとＡudio領域ＴＤＡとの間に各々設けられる。
【００６０】
また、磁気テープ１の一端側には固定ヘッド８によってアナログの音声信号が記録されたアナログ音声トラック（長手方向トラック）ＴＡが生成される。磁気テープ１の他端側には固定ヘッド２５によってコントロール信号が記録されたコントロールトラック（長手方向トラック）ＴＣが生成される。更に、コントロールトラックＴＣに隣接した位置には、固定ヘッド２５によってタイムコード信号（ＬＴＣ）が記録されたタイムコードトラック（長手方向トラック）ＴＴが生成される。
【００６１】
この例では、上述した属性情報Ｄａが図１０に示すシステムＡＵＸデータ領域ＴＡＡに記録される。例えば、１本の傾斜トラックＴＤには１０８バイトのシステムＡＵＸデータ領域ＴＡＡが割り当てられる。このシステムＡＵＸデータ領域ＴＡＡは、３０バイトのＮＴ（Ｎon Ｔracking）コントロール領域（ＮＴＣontrol）と、３９バイトづつのフレームデータ領域（Ｆrame０Ｄata，Ｆrame１Ｄata）とに分割される。ＮＴコントロール領域にはノン・トラッキング方式を示す情報が書き込まれる。この方式では、磁気テープ１に記録されている傾斜トラックＴＤを再生時に正確にトレースしなくても、元の信号が再現できるように電気的な処理が行われる。
【００６２】
この例では、属性情報Ｄａを書き込むために「Ｆrame１Ｄata」のフレームデータ領域が使用される。このフレームデータ領域は８バイトのリニアタイムコード領域（ＬＴＣ）、８バイトのバーチカルタイムコード領域（ＶＩＴＣ）、１バイトの位置識別領域（ＶＩＴＣ−Ｐosition）、２０バイトの拡張データ領域（Ｅxtended Ｄata）及び２バイトのダミー領域（Ｄummy）に分割される。
【００６３】
この拡張データ領域は、２つの領域に分割され、その一方の領域（Ａrea１）が更に１バイトの属性識別領域（Ａttribute Ｔype）、１バイトのデータ長識別領域（Ｗord  Ｃount）、８バイトの属性情報領域（Ａttribute  Ｄata）に分割される。他方の領域（Ａrea２）の１０バイトは予備である。この例では、属性情報領域に記録状態（Ｏxf０：Ｒecording Ｓtatus ）、積算時間情報（Ｏxf１：Ｈours  Ｍeter Ｉnformation）及び、ソフトウエアバージョン情報（Ｏxf２：Ｓoftwere Ｖersion  information）が記録される。
【００６４】
この記録状態Ｏxf０のバイト「０」には、ページ「０」が書き込まれ、バイト「１」には当該ビデオ編集機２００の動作モード、例えば、ＮＴＳＣ方式（５２５／６０）又はＰＡＬ方式（６２５／５０）が書き込まれる。バイト「２」にはキャプスタンモータ５のロック状態が書き込まれ、バイト「３」にはリファレンス系の選択情報が書き込まれる。バイト「４」には、ビデオ入力の選択情報が書き込まれ、バイト「５」には当該ビデオ編集機２００の他の情報の書き込みのために予約される。バイト「６」にはオーディオ信号ＣＨ１／ＣＨ２の入力の選択情報が書き込まれ、バイト「７」にはオーディオ信号ＣＨ３／ＣＨ４の入力の選択情報が書き込まれる。
【００６５】
また、積算時間情報Ｏxf１の「０」には、例えば、当該ビデオ編集機２００の動作時間情報（Ｏxf0１）、ドラム回転時間情報（Ｏxf0２）、テープ走行時間情報（Ｏxf0３）及びテープカセット９の挿抜回数情報（Ｏxf0４）などが書き込まれる。バイト「１」〜「４」には積算時間情報Ｏxf１のメーター値（単位：秒、回数）が記録される。ソフトウエアバージョン情報Ｏxf２には、当該ビデオ編集機２００のソフトウエアのバージョンアップ番号などが書き込まれる。例えば、バイト「０」にはソフトウエアの種類切換え情報が書き込まれる。バイト「１」〜「３」にはバージョン値が記録される。
【００６６】
また、磁気テープ１のタイムコードトラックＴＴには、図１１に示すデータフォーマットによってタイムコード信号（ＬＴＣ）が記録される。この例では、１フレームが８０ビットから成る領域を１単位としてタイムコード信号が記録される。この１フレームの領域には、同期信号を記録するための同期信号領域、タイムコード（ＨＨ：ＭＭ：ＳＳ：ＦＦ）を記録するために、８個のタイムコード記録ビット領域、ユーザーズビット（Ｄ1，Ｄ2：Ｃ1，Ｃ2：Ｂ1，Ｂ2：Ａ1，Ａ2）を記録するために８個のユーザーズビット記録領域が割り当てられる。
【００６７】
具体的には、タイムコードの「Ｈour」情報は、ビット４８〜５１、５６〜５９で表される２つのビット領域（Ｈ，Ｈ）に記録され、タイムコードの「Ｍinute」情報はビット３２〜３５、４０〜４２で表される２つのビット領域（Ｍ，Ｍ）に記録され、タイムコードの「Ｓecond」情報は、ビット１６〜１９、２４〜２６で表される２つのビット領域（Ｓ，Ｓ）に記録され、タイムコードの「Ｆrame」情報は、ビット０〜３、８，９で表される２つのビット領域（Ｆ，Ｆ）に記録される。
【００６８】
また、８個のユーザーズビット記録領域には、スタートコードと、マーク識別コードと、データ通し番号コードと、チェックサムコードとが記録されるようになっている。スタートコードはビット６０〜６３、５２〜５５で表される２つのビット領域（Ｄ1，Ｄ2）に記録され、マーク識別コードはビット４４〜４７、３６〜３９で表される２つのビット領域（Ｃ1，Ｃ2）に記録され、データ通し番号コードはビット２８〜３１、２０〜２３で表される２つのビット領域（Ｂ1，Ｂ2）に記録され、チェックサムコードはビット１２〜１５、４〜７で表される２つのビット領域（Ａ1，Ａ2）に記録される。
【００６９】
図１１示す１フレームの領域において、スタートコードはタイムコード情報が記録された領域及びユーザーズビット領域が始まることを示すコードであって、常に、「ＯＦＦｈ」のデータが記録される。マーク識別コードはマークデータの種類を表すためのコードである。カメラマンによって、「ＲＥＣスタートマーク」がマーキングされた場合には、マーク識別データとして「２０ｈ」が記録され、カメラマンによって、「ショットマーク１」がマーキングされた場合には、マーク識別データとして「２１ｈ」が記録される。カメラマンによって、「ショットマーク２」がマーキングされた場合には、マーク識別データとして「２２ｈ」が記録される。
【００７０】
この例では、カメラ一体型のビデオレコーダ２０１の「ショットマーク」の記録機能をそのままビデオ編集機２００の「エディットマーク」の記録機能として応用することができる。その場合には、当該ビデオ編集機２００を操作するオペレータによって、「エディットマーク１」がマーキングされると、マーク識別データとして「２３ｈ」が記録される。編集オペレータによって、「エディットマーク２」がマーキングされた場合には、マーク識別データとして「２４ｈ」が記録される。
【００７１】
なお、このマーク識別コードはカメラマンや、編集オペレータによってマーキングが指定された、その瞬間の１フレームのみ記録されるのではなく、マーキングされたそのときから、例えば、２０フレーム間連続して記録される。具体例でいうと、タイムコードが「０１：１２：２０：０５」で表されるタイミングで、カメラマンによって「ショットマーク１」がマーキングされた場合に、そのマーキングされた瞬間のタイムコードからタイムコード「０１：１２：２０：２４」までの２０フレーム間、「２１ｈ」のデータがマーク識別コードとして、このタイムコードトラックＴＴに記録され続けられる。このように２０フレームの間、連続して同じマーク識別コードを記録するのは、再生時に確実にマーク識別コードを読み出すことができるからである。
【００７２】
このデータ通し番号コードは連続した２０フレームにおいて、現在再生中のフレームが先頭から何番目のフレームであるかを示すデータである。上述の例では、タイムコード「０１：１２：２０：０５」のフレームのデータ通し番号として、最初のフレームであることを示す「０１」が記録され、タイムコード「０１：１２：２０：２４」のフレームのデータ通し番号として、２０番目のフレームであることを示す「２０」が記録される。
【００７３】
このようにデータ通し番号コードを記録しておくのは、最初のフレームのタイムコード、つまり、タイムコードトラックＴＴ上でマーキングされたタイムコードを得るためである。具体例で言うと、高速再生によってテープ走行される場合に、タイムコードトラックＴＴ上に記録された２０フレームのデータの中から、例えば、８番目のフレームのデータを読み出することができた場合に、その８番目のフレームのタイムコードは「０１：１２：２０：１２」であって、そのフレームのデータ通し番号は「０８」である。この２つのデータから最初のタイムコードは容易に「０１：１２：２０：０５」であることが分かる。
【００７４】
次に、図７〜図１６を参照しながら、ビデオ編集機２００の動作例について説明する。この例では、カメラマンが現場で収録してきたカセットテープ９に関して、テレビ放映しようとする部分を大まかに決定するために、当該ビデオ編集機２００でマーカボタン２０を操作しながらビデオ編集処理をする場合を想定する。そして、ビデオ編集機２００が故障したか否かはユーザによって判断される場合とする。これを前提にして、当該ビデオ編集機２００の情報記録時の動作例、その通常の情報再生時の動作例及び故障解析時の再生動作例について順を追って説明をする。
【００７５】
（１）情報記録時の動作例
図１２はビデオ編集機２００の情報記録時の動作例を示す概念図である。この例では、ビデオ編集機２００セット内に、編集制御ユニット１６の動作状態を把握するＣＰＵや、選択・設定スイッチ類３９の操作状態を把握するＣＰＵが設けられ、これらのローカルなＣＰＵとマスタとしてのＣＰＵ３７が機器内通信等を利用して動作検出情報Ｄｉを収集するようになされる。そして、この動作検出情報Ｄｉが不揮発メモリ３０に格納される場合を想定する。
【００７６】
まず、カセットテープ９をビデオ編集機２００にセットする。その後、図７に示した設定スイッチ１０や選択・設定スイッチ類３９が操作され、その操作時間や、ユーザーズビット領域に記録するデータが設定されると、このデータ設定に応じて、図８に示す編集制御ユニット１６では、設定スイッチ１０からの設定信号ＳＳに基づいてデータ信号発生部１１により、タイムコードデータＤＴ、ユーザデータＤＵ、及び、特定パターンの記録開始マークデータＤＣ、ショットマークデータＤＭが生成される。
【００７７】
このデータ信号発生部１１で生成されたタイムコードデータＤＴはタイムコードデータ保持部１２で保持されると共に、タイムコードデータ保持部１２に接続された信号変調部２３に供給される。ユーザデータＤＵはユーザデータ保持部１３で保持されると共に、ユーザデータ保持部１３に接続された信号切換えスイッチ１９の端子ａに供給される。
【００７８】
また、設定スイッチ１０が操作されて記録開始マークデータＤＣや、ショットマークデータＤＭを記録するモードが選択されると、データ信号発生部１１では記録開始マークデータＤＣやショットマークデータＤＭが生成される。この記録開始マークデータＤＣは記録開始データ保持部１４に保持されると共に、信号切換えスイッチ１８の端子ａに供給される。ショットマークデータＤＭはショットマークデータ保持部１５で保持されると共に、信号切換えスイッチ１８の端子ｂに供給される。
【００７９】
そして、操作スイッチ２が操作されて記録動作が開始されると、操作スイッチ２で設定された動作設定信号ＣＴに基づいて動作制御部３でモータ制御信号ＭＣ及びモード信号ＭＳが発生される。モータ制御信号ＭＣはモータ制御部４に供給され、モード信号ＭＳは編集制御ユニット１６及び記録再生手段２６に出力される。モータ制御部４では、モータ制御信号ＭＣに基づいてモータ駆動信号ＭＤが生成される。このモータ駆動信号ＭＤがキャプスタンモータ５及びドラムモータ６に供給されることにより、磁気テープ１が走行されると共に、回転ヘッド部７が回転される。
【００８０】
また、図１２に示すデジタル信号記録部４１では、モード信号ＭＳに基づいてデジタルの映像及び音声情報ＤinがＳＸフォーマットの記録信号に変換されると共に、編集制御ユニット１６による動作状態、選択・設定スイッチ類３９の操作状態、不揮発メモリ３０から読み出された属性情報ＤａがＳＸフォーマットの記録信号に変換され、変換後の記録信号が同時に磁気テープ１に記録される。この例では、デジタル信号記録部４１内に図示しない加算回路２８が予め設けられ、映像情報と音声情報との間に属性情報Ｄａを挟み込むように加算される。
【００８１】
このデジタル信号記録部４１で変換処理された後の記録信号は回転転ヘッド部７に供給され、磁気テープ１に対して記録信号の書込みが行われる。そして、図９に示す磁気テープ１において、回転ヘッド部７によりデジタルの映像信号及び音声信号が記録されるので、傾斜トラックＴＤが生成される。
【００８２】
この例では、Ｖideo領域ＴＤＶとＡudio領域ＴＤＡとの間に各々設けられたシステムＡＵＸデータ領域ＴＡＡに、図１０に示したデータフォーマットで属性情報Ｄａが記録される。また、アナログ音声信号記録部４３ではモード信号ＭＳに基づいて音声信号が所定のアナログ・デジタル処理され、その処理後の音声情報が固定ヘッド８に出力される。このアナログ音声信号記録部４３からの音声情報が固定ヘッド８によって、磁気テープ１のアナログ音声トラックＴＡに記録される。
【００８３】
更に、記録動作を示すモード信号ＭＳがモノマルチ１７に供給されると、そのモード信号ＭＳに基づいて、所定期間だけ「Ｈ」レベルのモードタイミング信号ＭＴが発生される。このモードタイミング信号ＭＴが論理和回路２２に出力されるので、その論理和回路２２ではスイッチ信号ＧＷと、モードタイミング信号ＭＴの論理和がとられ、論理和信号ＭＲが信号切換えスイッチ１９に供給される。信号切換えスイッチ１９ではこの論理和信号ＭＲによって、記録開始データ保持部１４又はショットマークデータ保持部１５の出力を選択するようなスイッチ制御がなされる。
【００８４】
また、上述したマーカボタン２０が操作されていないときは、モノマルチ２１の出力はロー・レベル（以下「Ｌ」レベルという）のスイッチ信号ＧＷが出力される。従って、「Ｌ」レベルのスイッチ信号ＧＷを入力した信号切換えスイッチ１８では接点ａ側を選択するので、記録開始データ保持部１４の出力を選択するようなスイッチ制御がなされる。このスイッチ制御によって、信号変調部２３に記録開始マークデータＤＣが供給される。信号変調部２３では、タイムコードデータ保持部１２からの供給されたタイムコードデータＤＴの更新が自動的に行われる。ここで更新されたタイムコードデータＤＴが信号切換えスイッチ１９で選択された記録開始マークデータＤＣと共に変調される。
【００８５】
更に、記録動作を示すモード信号ＭＳが自動制御部からタイムコード信号記録部２４に供給されているので、信号変調部２３からの変調後の所定フォーマットの記録タイムコード信号ＷＴが記録信号ＷＳに変換されると共に、その記録信号ＷＳがモード信号ＭＳに基づいて固定ヘッド２５に供給される。この記録信号ＷＳを入力した固定ヘッド２５によって、図９に示す磁気テープ１のタイムコードトラックＴＴにはタイムコードデータＤＴが更新されると共に、記録開始マークデータＤＣを記録することができる。
【００８６】
その後、所定時間経過後には、モードタイミング信号ＭＴは「Ｌ」レベルとされて、信号切換えスイッチ１９は接点ａ側を選択するようにスイッチ制御されるので、信号変調部２３にはユーザデータＤＵが供給される。このため、磁気テープ１のタイムコードトラックＴＴにはタイムコードデータＤＴが更新されながら記録されると共に、ユーザデータＤＵを記録することができる。
【００８７】
この記録動作中に、例えば、マーカボタン２０が操作されると、これにより発生した操作信号ＳＧがモノマルチ２１に供給されるので、そのモノマルチ２１から所定の時間だけ「Ｈ」レベルのスイッチ信号ＧＷが発生される。この「Ｈ」レベルのスイッチ信号ＧＷによって、論理和回路２２の出力ＭＲが所定の時間だけ「Ｈ」レベルとなされるので、信号切換えスイッチ１８、１９では、いずれも接点ｂ側を選択するので、ショットマークデータ保持部１５の出力を選択するようにスイッチ制御がなされる。
【００８８】
このスイッチ制御によって、信号変調部２３にショットマークデータＤＭが供給される。信号変調部２３では、タイムコードデータ保持部１２からの供給されたタイムコードデータＤＴの更新が自動的に行われる。ここで更新されたタイムコードデータＤＴが信号切換えスイッチ１９で選択されたショットマークデータＤＭと共に変調される。
【００８９】
これにより、信号変調部２３からの変調後の所定フォーマットの記録タイムコード信号ＷＴが記録信号ＷＳに変換されると共に、モード信号ＭＳに基づいてその記録信号ＷＳが固定ヘッド２５に供給されるので、図９に示す磁気テープ１のタイムコードトラックＴＴにはタイムコードデータＤＴが更新されると共に、ショットマークデータＤＭを記録することができる。
【００９０】
その後、所定時間経過後には、ショットマークデータＤＭは「Ｌ」レベルとされて、信号切換えスイッチ１８、１９はいずれも接点ａ側を選択するようにスイッチ制御されるので、信号変調部２３にはユーザデータＤＵが供給される。このため、磁気テープ１のタイムコードトラックＴＴにはタイムコードデータＤＴが更新されながら記録されると共に、ユーザデータＤＵを記録することができる。
【００９１】
このように、記録動作の開始から、所定時間はタイムコードトラックＴＴに、記録開始マークデータＤＣが記録され、マーカボタン２０が操作されたときは、ユーザデータＤＵに変えて所定時間ショットマークデータＤＭを記録することができる。
【００９２】
（２）通常の再生動作例
図１３はビデオ編集機２００の通常の情報再生時の動作例を示す概念図であり、図１４は液晶モニタ３８に表示されたグッドショットマークの一覧表示例を示す概念図である。この例では、図１３に示すデジタル信号再生部４２で再生されたショットマークデータＤＭがＣＰＵ３７及びキャラクタジェネレータ３７Ｅを介して液晶モニタ３８に表示される場合を想定する。
【００９３】
これを前提にして、例えば、図７に示した操作スイッチ２が操作されて再生動作が開始されると、テープ走行が開始されると共に、回転ヘッド部７が回転される。また、動作制御部３からデジタル信号再生部４２へ再生動作を示すモード信号ＭＳが出力されるので、回転ヘッド部７によって磁気テープ１の傾斜トラックＴＤをトレースして得られた再生信号はデジタル信号再生部４２に出力される。デジタル信号再生部４２では、再生信号がデジタルの映像信号や音声信号に変換される。また、アナログ音声トラックＴＡを固定ヘッド８でトレースして得られた再生信号はアナログ信号再生部によって、アナログの音声信号として出力される。
【００９４】
更に、タイムコードトラックＴＴを固定ヘッド２５でトレースして得られた再生信号ＲＳはタイムコード信号再生部３１で再生タイムコード信号ＲＴに変換される。この変換後の再生タイムコード信号ＲＴはデータ分離部３２でタイムコードデータＤＴとユーザビット領域データＤＥに分離される。この再生タイムコード信号ＲＴから分離されたタイムコードデータＤＴがタイムコードデータ保持部３３に供給されて、次のタイムコードデータＤＴが供給されるまで、一時保持される。
【００９５】
このタイムコードデータ保持部３３に保持されたタイムコードデータＤＴはＣＰＵ３７に供給される。ユーザビット領域データＤＥはユーザビット領域データ保持部３４によって保持される。ここで保持されたユーザビット領域データＤＥはパターン比較部３５とＣＰＵ３７に供給される。パターン比較部３５では、比較パターン発生部３６で発生された記録開始マークデータＤＣあるいはショットマークデータＤＭと、ユーザビット保持部から供給されたユーザビット領域データＤＥが比較され、その比較結果を示す比較信号ＣＣがＣＰＵ３７に供給される。
【００９６】
このＣＰＵ３７ではパターン比較発生部から供給された比較信号ＣＣに基づいて記録開始マークデータＤＣとユーザビット領域データＤＥが一致したときに、タイムコードデータＤＴがＲＡＭ３７Ｂに記憶される。この記憶されたタイムコードデータＤＴは、ＣＰＵ３７及びキャラクタジェネレータ３７Ｅを介して図１４に示す表示パネル５２の液晶モニタ３８に表示される。
【００９７】
この液晶モニタ３８には記録開始マークデータＤＣが記録された磁気テープ１の位置を示す時間値、あるいは、ショットマークデータＤＭが記録された磁気テープ１の位置を示す時間値が一覧表示される。従って、磁気テープ１の記録開始点（ＩＮ点）や、例えば、重要な場面を記録したことを示すために操作されたグッドショットマークの操作位置を容易に把握することができる。
【００９８】
このＧＳＭ設定操作によって、テレビ放送に使用する蓋然性の高いビデオデータのみを放送局などに伝送することができる。また、ＲＡＭ３７Ｂに記憶されたデータを利用して再生動作の開始や、停止を容易に制御することができる。
【００９９】
（３）故障診断時の再生動作例
図１５はビデオ編集機２００の故障診断時の再生動作例を示す概念図であり、図１６は液晶モニタ３８に表示された属性情報Ｄａの一覧表示例を示す概念図である。この例では、図１５に示すデジタル信号再生部４２で再生された属性情報ＤａがＣＰＵ３７及びキャラクタジェネレータ３７Ｅを介して液晶モニタ３８に表示される場合を想定する。そして、例えば、上述の再生動作で磁気テープ１の記録状態が悪いことが見い出され、当該編集機２００で故障が発生した場合を仮定する。
【０１００】
このような場合には、図１５に示すビデオ編集機２００のＲＳー２４２Ｃ通信プロトコル準拠のインタフェースドライバ８１に解析手段としてのパソコン８０が接続される。この状態で、磁気テープ１がもう一度再生される。このとき、回転ヘッド部７によって、映像及び音声情報と共に磁気テープ１から読み出された属性情報Ｄａがデジタル信号再生部４２で同時に再生される。この例では、映像情報と音声情報との間に挟み込まれた属性情報Ｄａを引き出すようにデジタル信号再生部４２によって再生処理される。この属性情報ＤａはＣＰＵ３７及びキャラクタジェネレータ３７Ｅを介して液晶モニタ３８に転送されて表示される。
【０１０１】
この液晶モニタ３８には記録状態Ｏxf０、積算時間情報Ｏxf１及びソフトウエアバージョン情報Ｏxf２などが表示される。記録状態Ｏxf０の下位内容としては、当該ビデオ編集機２００の動作モード、例えば、ＮＴＳＣ方式（５２５／６０）又はＰＡＬ方式（６２５／５０）、キャプスタンモータ５のロック状態、リファレンス系の選択情報、ビデオ入力の選択情報、オーディオ信号ＣＨ１／ＣＨ２の入力の選択情報、及び、オーディオ信号ＣＨ３／ＣＨ４の入力の選択情報が表示される。
【０１０２】
また、積算時間情報Ｏxf１の下位内容としては、例えば、当該ビデオ編集機２００の動作時間情報（Ｏxf0１）、ドラム回転時間情報（Ｏxf0２）、テープ走行時間情報（Ｏxf0３）及びテープカセット９の挿抜回数情報（Ｏxf0４）などが表示される。ソフトウエアバージョン情報Ｏxf２の下位内容としては、例えば、当該ビデオ編集機２００のソフトウエアのバージョンアップ番号などが表示される。
【０１０３】
このように、本実施の形態としての記録再生装置１００を応用したビデオ編集機２００によれば、当該編集機２００の情報記録時及び情報再生時の動作環境状態が属性情報Ｄａとして、デジタル信号記録部４１により記録情報Ｄinと共に磁気テープ１に記録されるので、当該編集機２００で故障が発生した場合に、どのような使用状況下で情報記録Ｄinを失敗したかについて、ユーザが行った操作入力に関する情報が無い場合であっても、その磁気テープ１から属性情報Ｄａをデジタル信号再生部４２で読み出すことで、その情報記録時やその再生時の動作使用環境（動作設定条件など）を認知することができる。
【０１０４】
従って、その磁気テープ１から読み出された属性情報Ｄａを液晶モニタ３８に表示したり、その属性情報Ｄａをパソコン８０などで解析することで、ユーザには認識できないような短時間に生じた諸現象などの当該ビデオ編集機２００の故障を迅速に、かつ、真の原因を究明することができる。これにより、故障診断に極めて有効な属性情報出力機能付きビデオ編集機２００の提供に寄与するところが大きい。
【０１０５】
本実施の形態では、放送業務用のカメラ一体型のビデオレコーダや、ビデオ編集機２００の場合について説明したが、これに限られることはなく、もちろん、家庭用のカメラ一体型のビデオレコーダや、ホームビデオレコーダの場合にも同様な効果が得られる。
【０１０６】
【発明の効果】
以上説明したように、本発明の記録再生装置によれば、当該装置の情報記録時及び／又は記録再生時の動作環境状態を検出して集合した動作検出情報が属性情報として記録情報と共に、記録媒体に記録する記録再生手段が設けられ、当該装置で故障が発生した場合に、その記録媒体から属性情報を読み出して当該装置の情報記録時及び／又は情報再生時の故障診断をするようになされる。
【０１０７】
この構成によって、情報記録時及び／又は記録再生時の当該装置の動作使用環境を動作検出情報から認知できるので、ユーザによる操作入力に関する情報が無い場合であっても、情報記録時及び／又は情報再生時の記録再生装置の故障を迅速に、かつ、正確に診断できるようになる。
【０１０８】
本発明の記録再生装置の故障診断方法によれば、当該装置の情報記録時及び／又は記録再生時の動作環境状態を検出して集合した動作検出情報が属性情報として記録情報と共に、記録媒体に記録し、当該装置で故障が発生した場合に、その記録媒体から属性情報を読み出して情報記録時及び／又は記録再生時の故障解析をするようにしたものである。
【０１０９】
この構成によって、情報記録時及び／又は記録再生時の当該装置の動作使用環境を動作検出情報から認知できるので、ユーザ操作情報が無い場合であっても、情報記録時及び／又は情報再生時の記録再生装置の故障を迅速に、かつ、正確に診断することができる。
この発明はオーディオ・ビデオ素材テープを編集するビデオ編集機などに適用して極めて好適である。
【図面の簡単な説明】
【図１】本発明に係る実施形態としての記録再生装置１００の構成例を示すブロック図である。
【図２】その記録再生装置１００の故障診断例を示すフローチャートである。
【図３】記録再生装置１００を応用したビデオ編集機２００の使用例を示す概念図である。
【図４】そのビデオ編集機２００の外観例を示す概念図である。
【図５】その表示パネル５２の構成例を示す正面図である。
【図６】その操作パネル５３の構成例を示す上面図である。
【図７】ビデオ編集機２００の内部構成例を示すブロック図である。
【図８】その編集制御ユニット１６の内部構成例を示すブロック図である。
【図９】磁気テープ１における情報記録例を示すフォーマットである。
【図１０】磁気テープ１のシステムＡＵＸデータ領域ＴＡＡにおける属性情報Ｄａの記録例を示すフォーマットである。
【図１１】そのタイムコードトラックＴＴにおけるタイムコード信号ＬＴＣの記録例を示すフォーマットである。
【図１２】ビデオ編集機２００の情報記録時の動作例を示すブロック図である。
【図１３】その通常の情報再生時の動作例を示すブロック図である。
【図１４】そのショットマークデータＤＭの表示例を示すイメージ図である。
【図１５】その故障診断時の再生動作例を示すブロック図である。
【図１６】その属性情報の表示例を示すイメージ図である。
【符号の説明】
１・・・磁気テープ（記録媒体）、７・・・回転ヘッド部、１６・・・編集制御ユニット、２６・・記録再生手段、２７・・・発生手段、３０・・・不揮発メモリ、３７・・・ＣＰＵ（発生手段）、３８・・・液晶モニタ、１００・・・記録再生装置、２００・・・ビデオ編集機
【図１】
0004207275.tif 000002
【図２】
0004207275.tif 000003
【図３】
0004207275.tif 000004
【図４】
0004207275.tif 000005
【図５】
0004207275.tif 000006
【図６】
0004207275.tif 000007
【図７】
0004207275.tif 000008
【図８】
0004207275.tif 000009
【図９】
0004207275.tif 000010
【図１０】
0004207275.tif 000011
【図１１】
0004207275.tif 000012
【図１２】
0004207275.tif 000013
【図１３】
0004207275.tif 000014
【図１４】
0004207275.tif 000015
【図１５】
0004207275.tif 000016
【図１６】
0004207275.tif 000017